(57)【特許請求の範囲】
【請求項１】
救助装置の異なる締結点に固定される締結手段を備える昇降用具（１４）と、前記昇降用具（１４）を昇降器具と接続するロープアセンブリ（２６）とを具備する、救助装置、特に救助ストレッチャ（１２）を昇降させるためのランヤードアセンブリ（１０）において、前記ロープアセンブリ（２６）が、互いに連続して接続されるロープ区分（３２，４４，４６）セットを具備して、各ロープ区分（３２，４４，４６）が、固定長さと、前記昇降器具に接続可能である第１端部（３６）と、他のロープ区分（３２，４４，４６）の前記第１端部（３６）または前記昇降用具（１４）に接続可能である反対の第２端部（３８）とを有し、各ロープ区分（３２，４４，４６）は、トンネル状のストラップ（３４）を有し、少なくとも２本のロープひもが、前記各ロープ区分（３２，４４，４６）の前記ストラップ（３４）の内部を通過するように配置されるとともに、第１端部（３６）と第２端部（３８）との間でそれぞれのロープ区分（３２，４４，４６）で平行に案内されており、
前記第１端部（３６）または第２端部（３８）の一方がカラビナ（３０）を具備し、前記第１端部（３６）または第２端部（３８）の他方が、前記カラビナ（３０）を収容するための係合孔（４２）を備えるプレート（４０）を具備することを特徴とする、
ランヤードアセンブリ（１０）。
【請求項２】
すべてのロープ区部（３２，４４，４６）が同一の第１端部（３６）と同一の第２端部（３８）とを有することを特徴とする、請求項１に記載のランヤードアセンブリ。
【請求項３】
前記ロープ区分（３２，４４，４６）セットが同一長さのロープ区分（３２，４４）を具備することを特徴とする、請求項２に記載のランヤードアセンブリ。
【請求項４】
前記ロープ区分（３２，４４，４６）セットが、第１長さのロープ区分（３２，４４）と第２長さのロープ区分（４６）とを具備して、前記第２長さが前記第１長さの整数倍であることを特徴とする、請求項１〜３のいずれか一項に記載のランヤードアセンブリ。
【発明の詳細な説明】
【技術分野】
【０００１】
本発明は、請求項１の前文に記載の、救助装置、特に救助ストレッチャを昇降させるためのランヤードアセンブリに関する。
【背景技術】
【０００２】
昇降器具に、例えば、消防車の回転はしごや別の種類の空中昇降装置の先端に救助ストレッチャを装着するため、複数の装着要素を具備するランヤードアセンブリが知られている。一般的にランヤードアセンブリは、ストレッチャに直接的に装着される昇降用具を具備するとともに、適当な締結手段、例えば救助ストレッチャの縁部の異なる点に係合されるカラビナを具備する。ランヤードアセンブリの長さを現在の救助状況に適応させるため、昇降用具の上方端部を昇降器具に接続するロープアセンブリが設けられる。例えば人を昇降させるためのハーネスのような他の種類の救助装置と同じ構成が使用されうる。ただ簡潔性のため、以下の説明では、バスケット型の救助ストレッチャのみに言及するが、これは発明を限定するものと理解されないものとする。「ロープ」の語は、何らかの種類の断面（平らや丸いものなど）を持つ異なる種類の長いひも状および／または繊維状材料と、何らかの種類の天然または合成材料とを含み、本発明で言及される目的に適した引張強度を有するある種類の材料に限定されると理解されないものとすることをここで記しておく。
【０００３】
よく見られる実施例において、ロープアセンブリは、昇降器具に接続される上方端部を備えて下方端部が昇降用具に接続可能である、平行に案内される２本の独立ロープを具備する。２本のロープの使用は、他方が故障した場合に各ロープがその負荷を支えることができるため、負荷の支承において冗長性を提供する。両方のロープの長さは、通常使用中に、両方のロープへ等しい負担で負荷が分散されるように適応化されなければならない。その長さは、各ロープを結んで短くすることによって固定されることが多い。しかし、この簡単な技術は、ロープが正確には同じ長さを有せずに、その間で負荷が等しく負担されないという結果を招く。この問題は、一般的には救助条件でアセンブリ全体が時間的制約を受けて固定されなければならない時に、より頻繁に発生する。
【発明の概要】
【発明が解決しようとする課題】
【０００４】
そのため本発明の目的は、ロープアセンブリの長さの簡単かつ安全な適応化を含めて、必要部品すべての短時間でのフェイルセーフな取り付けおよび接続を可能にする上記種類のランヤードアセンブリを提供することである。
【課題を解決するための手段】
【０００５】
この目的は、請求項１の特徴を具備するランヤードアセンブリにより達成される。
【０００６】
本発明によれば、ロープアセンブリは、相互に連続して接続されるロープ区分セットを具備する。このセット内の各ロープ区分は固定長さを有する。すべてのロープ区分は、ランヤードアセンブリの懸架位置では上方端部である第１端部を有して、これは昇降器具に接続可能である。反対の第２端部（または下方端部）は、他のロープ区分の第１端部または昇降用具に接続可能である。各ロープ区分は、上述のように、第１および第２端部の間のそれぞれのロープ区分で平行に案内されて、負荷を支える際に必要な冗長性を提供する少なくとも２本のロープひもを具備する。
【０００７】
このロープ区分セットから、適当な長さの異なる区分が選択され、第１および第２端部により互いに連続して接続され、上方端部（つまり最上部ロープ区分の第１端部）で昇降器具に、底ロープ区分の第２端部（下方端部）で救助装置に接続される異なる区分による一つのロープを形成する。この構成では、ロープ区分を相互交換して順序を変えることが可能である。事実、セット内のすべてのロープ区分の第１および第２端部が相互に適合性を持つ、つまり各第1端部が各第２端部に接続可能であるため、相互に固定されるロープ区分には規定の順序はない。これは救助条件で使用されるロープ区分の選択を容易にして昇降用具とストレッチャとの間に所望の長さのロープ接続を形成する。また、それぞれの第１端部と第２端部の接続機構は使用が単純かつ容易で、貴重な時間を節約する。ロープ区分の長さが固定されているため、ロープその他を結ぶというような長さ調節が必要ない。代わりに、適当なロープ区分の選択により長さ調節がすでに達成されている。各区分での両方のロープひもは、等しい分担で負荷を支える。
【０００８】
本発明の好適な実施形態によれば、すべてのロープ区分は同一の第１端部と同一の第２端部とを有する。
【０００９】
本発明のまた別の実施形態では、ロープ区分セットは同一の長さのロープ区分を具備する。
【００１０】
より好ましくは、ロープ区分セットは、第１長さのロープ区分と第２長さのロープ区分とを具備し、第２長さは第１長さの整数倍である。例えば、第２長さは第１長さの２倍、３倍等である。
【００１１】
本発明の別の実施形態によれば、第１端部または第２端部の一方はカラビナを具備し、それぞれ第１端部または第２端部の他方は、カラビナを収容するための係合孔を備えるプレートを具備する。例えば、第１端部がカラビナを装備している場合に、第２端部は係合孔を備えるプレートを装備するか、その逆である。二つ以上の締結手段（カラビナまたは孔を備えるプレートなど）は、等しい分担で負荷を支えるための冗長構成でもある。
【図面の簡単な説明】
【００１２】
本発明の以上および他の目的や利点は、より詳しく説明され、以下の図の助けにより明白となり、図の説明は以下の通りである。
【図１】本発明によるランヤードアセンブリの実施形態の斜視図である。
【図２Ａ】図１のランヤードアセンブリの側面図である。
【図２Ｂ】図１のランヤードアセンブリの側面図である。
【図２Ｃ】図１のランヤードアセンブリの側面図である。
【図２Ｄ】図１のランヤードアセンブリの側面図である。
【図３】図１の構成で使用される接続要素の詳細図である。
【図４】図１の構成で使用される接続要素の詳細図である。
【発明を実施するための形態】
【００１３】
図１は、ランヤードアセンブリ１０の下方端部に装着されている救助ストレッチャ１２を昇降させるためのランヤードアセンブリ１０を示す。ランヤードアセンブリ１０は、４本のストラップ１６を備える昇降用具１４を具備し、４本のストラップ１６の下方端部はストレッチャ１２の縁部の異なる締結点１８に固定されている。これらの締結点１８は、４本のストラップ１６の下方端部のカラビナが係合される係合孔を具備する。４本のストラップ１６は昇降用具の上点２０で一緒になり、この上点はいくつかの係合孔２４を備えるプレート２２（図２Ａで視認容易）を具備する。使用時には、図１から分かるように、４本のストラップ１６はストレッチャ１２の上方のピラミッド空間に広がる。ここに示されたストレッチャ１２は、救助対象者を昇降させるための救助装置の単なる一例であることを記しておく。本発明は、救助ベルト用具その他のような、他の種類の人収容部にも適用可能である。
【００１４】
昇降用具１４の上方端部には、ロープアセンブリ２６（図１では全体に参照番号２６が付けられている）が装着されて、昇降用具１４を昇降器具と接続する。図は、ストレッチャ１２とともにランヤードアセンブリ１０を昇降させるのに適した消防車の回転はしごや他の種類の空中救助装置であるこの昇降器具の接続要素２８のみを示している。接続要素２８（図３および４に詳しく図示）は、係合孔を備えるプレートと、接続要素２８を昇降器具の他の部品と接続するための上方ストラップとを具備する。このような昇降器具は、本発明の対象ではない。
【００１５】
図２Ａから２Ｄに関してさらに詳しく説明されるように、ロープアセンブリ２６は、相互接続されて単一のロープ接続を形成しうる本実施形態では異なる長さの複数のロープ区分を具備し、その下方端部は昇降用具に接続され、上方端部は昇降器具に接続される。
【００１６】
図２Ａは昇降用具１４のみを示し、ロープ区分は装着されていない。上ですでに説明したように、昇降用具１４は、複数の係合孔を備えるプレート２２を具備する。図２Ｂに示されているように、二つの上方係合孔２４には、昇降用具１４をロープ区分に接続するためのカラビナ３０が固定されている。
【００１７】
図２Ｂでは、第１ロープ区分３２が昇降用具１４の上方端部に装着されている。ロープ区分３２は、合成材料または天然繊維の布バンドであるトンネル状フラットストラップ３４を具備する。このストラップ３４の中では、２本の独立ロープひも（不図示）が第１ロープ区分３２の両端部の間で平行に延びている。第１ロープ区分３２の上方端部は第１端部と表記されるものとし、反対の下方端部は第２端部と表記されるものとする。第１端部３６で、第１ロープ区分３２は、昇降用具１４の上方端部のカラビナ３０と同一の２個のカラビナ３０を具備する。第２端部３８で、第１ロープ区分３２は、昇降用具１４のカラビナ３０を収容するための係合孔４２を備えるプレート４０を具備する。
【００１８】
カラビナ３０は昇降器具の接続要素２８と接続可能であり、そのため、第１ロープ区分３２と同一のカラビナ３０である。その結果、昇降用具は接続要素２８に直接的に接続されうる。より一般的な使用法では、図２Ｂの第１ロープ区分３２のような少なくとも一つのロープ区分により、昇降器具の接続要素２８に昇降用具１４が接続されている。
【００１９】
図２Ｂに示された第１ロープ区分３２は、昇降用具１４を昇降器具と接続するように選択される異なるロープ区分によるセットの一つに過ぎない。図２Ｃでは、第１ロープ区分３２と同一である第２ロープ区分４４により、図２Ｂの構成が上方端部で拡張されている。第１ロープ区分３２の第１端部３６のカラビナ３０を第２ロープ区分４４の第２端部３８のプレート４０の係合孔４２に係合させることにより、第２ロープ区分４４の下方第２端部３８は、第１ロープ区分３２の上方第１端部３６に接続されている。図２Ｃで第１ロープ区分３２と第２ロープ区分４４とにより形成されるロープアセンブリの上方端部は、第２ロープ区分４４の第1端部３６のカラビナ３０により接続要素２８（図２Ｃでは不図示）に接続されている。
【００２０】
図２Ｂおよび２Ｃを検討すると、一つ以上の追加ロープ区分セットをロープ接続に接続することにより、昇降器具の接続要素２８と昇降用具１４との間のロープ接続の長さが容易に拡張されうる。このシステムには調節機構は存在せず、これがシステムをフェイルセーフにして救助状況での貴重な時間を節約する。各ロープ区分３２，４４のストラップ３４内に延びる両方のロープひもは等しい負担で負荷を支え、長さ調節は必要ない。また、第１ロープ区分３２と第２ロープ区分４４とは同じ固定長さを有するので、（図２Ｃで矢印Ａにより記されているように）相互交換が可能であり、異なる部品を接続する時に守られなければならない固定順序はない。第１ロープ区分３２および第２ロープ区分４４の両方の第１端部３６は、昇降器具の接続部分２８にともに接続されうる。同じようにして、昇降用具１４は、第１ロープ区分３２の第２端部３８と第２ロープ区分４４の第２端部３８の両方に接続されうる。
【００２１】
図２Ｄでは、第１ロープ区分３２と第２ロープ区分４４との間に第３ロープ区分４６を挿入することにより、図２Ｃの構成がさらに拡張されている。それぞれ、第３ロープ区分４６の上方端部は第１ロープ区分３２および第２ロープ区分４４の第１端部３６と同一の第１端部３６であり、第３ロープ区分４６の下方第２端部３８は、第１ロープ区分３２および第２ロープ区分４４の第２端部３８と同一である。図２Ｄの構成では、第３ロープ区分４６の第２端部３８は第１ロープ区分３２の第１端部３６に接続されており、第３ロープ区分４６の第１端部は第２ロープ区分４４の第２端部に接続されている。図２Ｄに使用状態で示された第１、第２、および第３ロープ区分３２，４４，４６の構成は、完全なロープ区分３２，４４，４６のセットを表し、昇降用具１４と昇降器具との間の接続の長さに適応するように単一のロープ区分がこれから選択されうる。図２Ｂの第１ロープ区分３２と図２Ｃの第１および第２ロープ区分３２，４４とにより、この選択が表される。
【００２２】
第３ロープ区分４６は、第１および第２ロープ区分３２，４４の長さの２倍の長さである固定長さも有する。この長さの差は、第１端部３６と第２端部３８とを接続する第３ロープ区分４６の長いストラップ３４によるものである。図２Ｄにも記されているように、ここに示されているすべてのロープ区分３２，４４，４６は、矢印ＢおよびＣで記されているように、相互交換可能であるが、それは、すべての第１端部３６がすべての第２端部３８と接続可能であって昇降器具と接続可能であるとともに、反対の第２端部３８が各ロープ区分３２，４４，４６の各第１端部３６に、または昇降用具１４に接続可能であるためである。昇降器具と昇降用具１４との間に所望の長さのロープ接続を形成することは、完全なロープ区分セットから所望の長さのロープ区分３２，４４，４６を選択して、これらを互いに、また昇降用具１４および昇降器具とそれぞれ接続することにより容易に実施され、結果的に図２Ｄの構成が設けられる。
【符号の説明】
【００２３】
１０  ランヤードアセンブリ
１２  救助ストレッチャ
１４  昇降用具
１６  ストラップ
１８  締結点
２０  上点
２２  プレート
２４  係合孔
２６  ロープアセンブリ
２８  接続要素
３０  カラビナ
３２  第１ロープ区分
３４  フラットストラップ
３６  第１端部
３８  第２端部
４０  プレート
４２  係合孔
４４  第２ロープ区分
４６  第３ロープ区分
【図１】
0006615600.tif 000002
【図２Ａ】
0006615600.tif 000003
【図２Ｂ】
0006615600.tif 000004
【図２Ｃ】
0006615600.tif 000005
【図２Ｄ】
0006615600.tif 000006
【図３】
0006615600.tif 000007
【図４】
0006615600.tif 000008